(57)【要約】      （修正有）【課題】抗菌剤の交換作業性を向上させることができる空気調和装置を提供する。【解決手段】遠心送風機と、遠心送風機の下方に設けられた空気流入口と、遠心送風機の外周の一部を覆うように設けられた熱交換器１３と、遠心送風機の外周の他部を覆うように設けられた仕切り板２０と、仕切り板２０に形成された開口部２１と、仕切り板２０に着脱自在に取り付けられ、開口部２１を閉塞するメンテナンスパネル２２と、熱交換器１３の下方に設けられたドレン水流路と、空気流入口側から見て仕切り板２０の奥側に設けられ、ドレン水流路で受けたドレン水を溜めるドレン水溜まり３２と、を備えたドレンパン３０と、抗菌剤を内部に収容し、ドレンパン３０のうちドレン水溜まり３２内に配置され、空気流入口及び開口部２１を介して取出し可能な抗菌剤収容ケース３４と、を有する。【選択図】図３
2014211274.tif 000002
【特許請求の範囲】
【請求項１】
鉛直方向に延伸した回転軸を有する遠心送風機と、
前記遠心送風機の下方に設けられた空気流入口と、
前記遠心送風機の外周の一部を覆うように設けられた熱交換器と、
前記遠心送風機の外周の他部を覆うように設けられた仕切り板と、
前記仕切り板に形成された開口部と、
前記仕切り板に着脱自在に取り付けられ、前記開口部を閉塞するメンテナンスパネルと、
前記熱交換器の下方に設けられ、前記熱交換器のドレン水を受けるドレン水受け部と、前記空気流入口側から見て前記仕切り板の奥側に設けられ、前記ドレン水受け部で受けたドレン水を溜めるドレン水溜まりと、を備えたドレンパンと、
抗菌剤を内部に収容し、前記ドレン水溜まり内に配置され、前記空気流入口及び前記開口部を介して取出し可能な抗菌剤収容ケースと、
を有することを特徴とする空気調和装置。
【請求項２】
前記抗菌剤収容ケースは、前記ドレンパンを取り外さずに取出し可能であること
を特徴とする請求項１に記載の空気調和装置。
【請求項３】
前記抗菌剤収容ケースは、前記仕切り板に対して着脱自在に取り付けられていること
を特徴とする請求項１又は請求項２に記載の空気調和装置。
【請求項４】
前記空気流入口及び前記開口部を介して、前記ドレン水溜まり内部の目視観察又は清掃が可能であること
を特徴とする請求項１〜請求項３のいずれか一項に記載の空気調和装置。
【発明の詳細な説明】
【技術分野】
【０００１】
本発明は、空気調和装置に関する。
【背景技術】
【０００２】
ビル用マルチエアコンなどの空気調和装置は、熱交換器からのドレン水を受けるドレンパンを熱交換器の下方に備えている。このような空気調和装置では、ドレンパン内のドレン水にスライムが発生すると、配管詰まり等のドレン水の排水不良が生じてしまう。ドレン水の排水不良を防止するためには、専門業者が定期的にドレンパンを清掃したり、ドレンパン内に抗菌剤を設置したりして、ドレン水にスライムが発生するのを抑制する必要がある。
【０００３】
特許文献１には、熱交換器と、熱交換器の下方に設けられ、熱交換器からのドレン水を溜めるためのドレンパンと、ドレンパンの内側にねじ止め固定され、水溶性抗菌剤が収容され、ドレンパンに溜まったドレン水が流出入可能な収容容器と、を備えた空気調和機が開示されている。
【０００４】
特許文献２には、熱交換器、送風機、及び熱交換器からのドレン水を受け止めるドレンパンを備え、ドレン水に対して静菌作用を発揮する抗菌剤を有する抗菌ユニットをドレンパン内に配置した空気調和機が開示されている。この空気調和機において、抗菌ユニットの支持部材は、ベルマウスとドレンパンとの間に形成された作業用開口、又は空気吹出口から着脱操作できるようになっている。
【先行技術文献】
【特許文献】
【０００５】
【特許文献１】特開２００７−２０５６６８号公報（第５−９頁、図２）
【特許文献２】特開２００６−１９４４９４号公報（第５頁、図２）
【発明の概要】
【発明が解決しようとする課題】
【０００６】
しかしながら、特許文献１の空気調和機では、収容容器がドレンパンにねじ止め固定されている。このため、消耗部品である抗菌剤を交換する際には、ドレンパンを空気調和機本体から外す必要がある。ドレンパンを空気調和機本体から外し、抗菌剤交換後にドレンパンを再度空気調和機本体に取り付ける際には、ドレンパンに溜まっているドレン水の排水、ドレン配管工事のやり直し、及び復旧後のドレン水漏れ点検等が必要になる。このため、特に設置台数の多い現場では、抗菌剤の交換作業に多大な時間と費用が必要になってしまうという問題点があった。
【０００７】
また、特許文献２の空気調和機では、抗菌ユニットの交換を行う際、作業用開口又は空気吹出口等の狭い開口部に手を入れて手探りで支持部材の着脱操作を行う必要がある。このため、抗菌ユニットの交換が容易とは言えないという問題点があった。
【０００８】
本発明は、上述のような問題点の少なくとも１つを解決するためになされたものであり、抗菌剤の交換作業性を向上させることができる空気調和装置を提供することを目的とする。
【課題を解決するための手段】
【０００９】
本発明に係る空気調和装置は、鉛直方向に延伸した回転軸を有する遠心送風機と、前記遠心送風機の下方に設けられた空気流入口と、前記遠心送風機の外周の一部を覆うように設けられた熱交換器と、前記遠心送風機の外周の他部を覆うように設けられた仕切り板と、前記仕切り板に形成された開口部と、前記仕切り板に着脱自在に取り付けられ、前記開口部を閉塞するメンテナンスパネルと、前記熱交換器の下方に設けられ、前記熱交換器のドレン水を受けるドレン水受け部と、前記空気流入口側から見て前記仕切り板の奥側に設けられ、前記ドレン水受け部で受けたドレン水を溜めるドレン水溜まりと、を備えたドレンパンと、抗菌剤を内部に収容し、前記ドレン水溜まり内に配置され、前記空気流入口及び前記開口部を介して取出し可能な抗菌剤収容ケースと、を有することを特徴とするものである。
【発明の効果】
【００１０】
本発明によれば、空気調和装置の空気流入口及び仕切り板に形成された開口部を介して抗菌剤収容ケースが取出し可能であるため、抗菌剤の交換作業性を向上させることができる。
【図面の簡単な説明】
【００１１】
【図１】本発明の実施の形態１に係る空気調和装置１を斜め下方から見た構成を示す縦断面斜視図である。
【図２】本発明の実施の形態１に係る空気調和装置１を斜め上方から見た構成を示す斜視図である。
【図３】本発明の実施の形態１に係る空気調和装置１の抗菌剤収容ケース３４近傍の構成を拡大して示す斜視図である。
【図４】本発明の実施の形態１に係る空気調和装置１を仕切り板２０側から見た構成を示す側面図である。
【図５】本発明の実施の形態１に係る空気調和装置１から点検パネル４４及びフィルタ４３を取り外した状態を模式的に示す上面図である。
【図６】本発明の実施の形態１に係る空気調和装置１から点検パネル４４及びフィルタ４３に加えてベルマウス１５及び遠心送風機１２を取り外した状態を模式的に示す上面図である。
【図７】本発明の実施の形態１の変形例として、四方向吹出式の天井カセット型空気調和装置のドレンパン１３０等の構成を模式的に示す上面図である。
【発明を実施するための形態】
【００１２】
実施の形態１．
本発明の実施の形態１に係る空気調和装置について説明する。図１は、本実施の形態に係る空気調和装置１を斜め下方から見た構成を示す縦断面斜視図である。図１中の太矢印は空気の流れを表している。図２は、空気調和装置１を斜め上方から見た構成を示す斜視図である。図３は、空気調和装置１の抗菌剤収容ケース３４近傍の構成を拡大して示す斜視図である。図４は、空気調和装置１を仕切り板２０側から見た構成を示す側面図である。本実施の形態では、空気調和装置１として、ビル用マルチエアコンの室内機に用いられる二方向吹出式の天井カセット型空気調和装置を例示している。なお、図１〜図４では、一部の構成部材の図示を省略している場合がある。例えば、図２では本体ケーシング１０等の図示を省略しており、図３ではドレンポンプ３３等の図示を省略している。また、図１〜図４を含む以下の図面では、各構成部材の寸法の関係や形状等が実際のものとは異なる場合がある。明細書中における各構成部材同士の位置関係（例えば、上下関係等）は、原則として、空気調和装置１を使用可能な状態に設置したときのものである。
【００１３】
図１〜図４に示すように、空気調和装置１は、下方が開口された本体ケーシング１０と、本体ケーシング１０の天井面の中心部に懸垂されたファンモータ１１と、ファンモータ１１の出力軸に接続された回転軸を備えた遠心送風機１２と、を有している。遠心送風機１２の回転軸は、鉛直方向に延伸している。遠心送風機１２の下方には、後述する吸込口４５ａ、４５ｂを介して吸い込まれた室内空気を遠心送風機１２に流入させる空気流入口１４が形成されている。空気流入口１４の周囲には、空気流入口１４を介して流入させる室内空気を遠心送風機１２の中心部近傍に導くベルマウス１５が形成されている。
【００１４】
遠心送風機１２の外周側（径方向外側）には、熱交換器１３が遠心送風機１２の一部を覆うように設けられている。熱交換器１３は、不図示の圧縮機、四方弁、室外熱交換器、膨張装置等と共に冷凍サイクルを構成する。少なくとも冷凍サイクルの圧縮機及び室外熱交換器は、室外熱交換器に外気を送風する室外送風機と共に、室外機に搭載されている。冷房運転時には、熱交換器１３は蒸発器として機能する。このとき、遠心送風機１２により送風されて熱交換器１３を通過する室内空気は、冷媒との熱交換により冷却される。一方、暖房運転時には、熱交換器１３は、四方弁が切り替えられることにより凝縮器として機能する。このとき、遠心送風機１２により送風されて熱交換器１３を通過する室内空気は、冷媒との熱交換により加熱される。
【００１５】
本例の熱交換器１３は、遠心送風機１２の外周のうち三方を囲む断面略Ｕ字状の形状を有している。熱交換器１３の一端部１３ａと他端部１３ｂとの間には、横長長方形平板状の仕切り板２０が遠心送風機１２の他部を覆うように設けられている。仕切り板２０は、遠心送風機１２により送風される空気が熱交換器１３をバイパスして室内に吹き出されてしまうことを防ぐために、遠心送風機１２の外周のうち熱交換器１３で囲まれた三方以外の一方を囲んでいる。すなわち、遠心送風機１２の外周は、熱交換器１３及び仕切り板２０によって全周に亘って囲まれている。
【００１６】
仕切り板２０には、横長長方形状の開口部２１が形成されている。開口部２１の寸法は、例えば、横３０〜４０ｃｍ程度、縦１０〜１５ｃｍ程度である。開口部２１は、メンテナンスパネル２２によって閉塞されている。メンテナンスパネル２２は、開口部２１の寸法と同程度又はそれより大きい寸法を有している。メンテナンスパネル２２は、仕切り板２０に対して着脱自在に取り付けられている。本例のメンテナンスパネル２２は、横方向の一端側に形成された係止部２２ａと、他端側に形成されたねじ穴とを有している。メンテナンスパネル２２は、係止部２２ａを開口部２１の開口端の一部に係止させ、１つの固定ねじ２２ｂを用いて他端側を仕切り板２０にねじ止めすることによって、仕切り板２０に対して取り付けられている。メンテナンスパネル２２を仕切り板２０から取り外す作業、及びメンテナンスパネル２２を仕切り板２０に再度取り付ける作業は、作業者が空気流入口１４を介して容易に行うことができるようになっている。これにより、メンテナンスパネル２２は、仕切り板２０に対して容易に着脱できるようになっている。メンテナンスパネル２２は、後述する抗菌剤交換作業の際や、その他のドレンパン３０の保守作業の際に取り外され、それ以外のとき（空気調和装置１の運転時を含む）には仕切り板２０に取り付けられている。
【００１７】
熱交換器１３の下方には、熱交換器１３からのドレン水を受けるドレンパン３０が設けられている。ドレンパン３０は、少なくとも熱交換器１３全体の下方投影面（真下）に配置されている。ドレンパン３０の中央部は、空気流入口１４として開口されている。本例のドレンパン３０は、熱交換器１３全体の真下に配置され、熱交換器１３からのドレン水を受けるドレン水流路３１（ドレン水受け部）と、空気流入口１４側から見て仕切り板２０の奥側に設けられ、ドレン水流路３１で受けたドレン水を溜めるドレン水溜まり３２と、を有している。ドレン水流路３１には、ドレン水溜まり３２側が低くなる勾配が設けられている。また、ドレン水溜まり３２には、一角部側が低くなる勾配が設けられている。これにより、ドレン水流路３１内のドレン水はドレン水溜まり３２内に流れ落ち、ドレン水溜まり３２内に流れ落ちたドレン水は一角部側に集水されるようになっている。ドレン水溜まり３２内の当該角部近傍には、ドレン水溜まり３２内のドレン水を外部に排水するドレンポンプ３３と、ドレン水用の抗菌剤を内部に収容する抗菌剤収容ケース３４と、が配置されている。
【００１８】
抗菌剤収容ケース３４は、後述するアタッチメント３５によって所定水位のドレン水に浸漬可能な高さに宙吊りされており、ドレン水溜まり３２の底部には接触していない。抗菌剤収容ケース３４には、内部に収容される抗菌剤を脱落させず、かつドレン水を流出入させることが可能な大きさを有する多数の開口３４ａが形成されている。
【００１９】
抗菌剤収容ケース３４には、アタッチメント３５の一端が固定されている。本例のアタッチメント３５は、平板状の金属部材が複数回折り曲げられた形状を有し、抗菌剤収容ケース３４の配置位置から開口部２１近傍まで延びている。アタッチメント３５の他端は、仕切り板２０のうち開口部２１近傍の部分に着脱自在に取り付けられている。本例のアタッチメント３５は、当該アタッチメント３５の他端側の一部をメンテナンスパネル２２と仕切り板２０の開口端との間に挟み込むとともに、１つの固定ねじ３５ａを用いて当該他端側を仕切り板２０にねじ止めすることによって、仕切り板２０に対して取り付けられている。メンテナンスパネル２２及びアタッチメント３５の双方が仕切り板２０に取り付けられている状態において、固定ねじ２２ｂ及び固定ねじ３５ａは互いに上下方向に隣接して配置されている。したがって、固定ねじ２２ｂ、３５ａを連続して取り外すのは容易である。
【００２０】
アタッチメント３５を仕切り板２０から取り外す作業、及びアタッチメント３５を仕切り板２０に再度取り付ける作業は、いずれも作業者が空気流入口１４を介して容易に行うことができるようになっている。結果として、本例の抗菌剤収容ケース３４は、アタッチメント３５を介し、仕切り板２０に対して着脱自在に取り付けられるようになっている。
【００２１】
ここで、抗菌剤収容ケース３４は、通常、開口部２１を介して作業者の手が直接届く範囲の外に配置されている。このため、作業者は、抗菌剤収容ケース３４を直接保持して取り出すことはできない。しかしながら、本例の抗菌剤収容ケース３４は、アタッチメント３５と一体的に取り扱うことができる。また、アタッチメント３５は、開口部２１近傍まで延びている。これにより、抗菌剤収容ケース３４は、空気流入口１４及び開口部２１を介してドレン水溜まり３２内から容易に取出し可能であるし、また、空気流入口１４及び開口部２１を介してドレン水溜まり３２内に容易に再取付け可能である。抗菌剤収容ケース３４の取出し及び再取付けは、いずれもドレンパン３０を取り外さずに行うことが可能である。
【００２２】
なお、抗菌剤収容ケース３４が開口部２１を介して作業者の手の届く範囲内に設けられている場合には、アタッチメント３５を省略することができる。この場合、例えば、抗菌剤収容ケース３４自体が仕切り板２０に対して着脱自在に取り付けられる。
【００２３】
ドレンパン３０の下方には、室内の天井面に露出する化粧パネル４０が設けられている。化粧パネル４０は、空気流入口１４の下方に対応する開口部と、当該開口部の周囲を長方形枠状に囲む枠状部４１とを有している。枠状部４１の対向する２辺には、熱交換器１３を通過して冷却又は加熱された空調空気を室内の互いに異なる２方向に吹き出す吹出口４２ａ、４２ｂが形成されている。
【００２４】
また、化粧パネル４０は、空気流入口１４の下方に対応する開口部に着脱自在に取り付けられたフィルタ４３を有している。フィルタ４３は、空気流入口１４に流入する室内空気に含まれている塵埃を除去する機能を有する。さらに、化粧パネル４０は、フィルタ４３の下方に着脱自在に取り付けられた点検パネル４４を有している。点検パネル４４は、室内の天井面に露出する意匠面を構成するとともに、空気調和装置１の保守点検作業時には容易に取り外すことができるようになっている。点検パネル４４の両脇には、空気流入口１４に流入させる室内空気を吸い込む吸込口４５ａ、４５ｂが形成されている。
【００２５】
次に、本実施の形態に係る空気調和装置１の空調動作について簡単に説明する。冷房運転時には、冷凍サイクルの圧縮機によって圧縮され吐出された高温高圧のガス冷媒は、四方弁を経由して室外熱交換器（凝縮器）に流入する。室外熱交換器に流入したガス冷媒は、室外送風機により送風される外気との熱交換により凝縮し、低温の冷媒となって、室外熱交換器から流出する。室外熱交換器から流出した冷媒は、膨張装置によって膨張及び減圧され、低温低圧の気液二相冷媒となる。この気液二相冷媒は、熱交換器１３（蒸発器）に流入し、遠心送風機１２により送風される室内空気との熱交換により蒸発し、低温低圧のガス冷媒となって熱交換器１３から流出する。このとき、冷媒に吸熱されて冷却された室内空気は、空調空気（冷風）となって、室内（空調対象空間）に吹き出される。熱交換器１３から流出したガス冷媒は、四方弁を経由して圧縮機に吸入され、再び圧縮される。冷房運転時の冷凍サイクルでは、以上の一連の動作が連続的に繰り返される。
【００２６】
室内空気は、吸込口４５ａ、４５ｂ、フィルタ４３、空気流入口１４を通って吸い込まれ、遠心送風機１２によって送風される。遠心送風機１２により送風された室内空気は、熱交換器１３を通過して冷却され、空調空気（冷風）となって吹出口４２ａ、４２ｂから室内に吹き出される。
【００２７】
室内空気が熱交換器１３で冷却される際には、室内空気中の水分の一部が熱交換器１３の表面で凝縮してドレン水となる。熱交換器１３表面で凝縮したドレン水は、自重によりドレンパン３０のドレン水流路３１内に滴下する。ドレン水流路３１内に滴下したドレン水は、ドレン水流路３１を流れてドレン水溜まり３２に流れ落ちる。ドレン水溜まり３２内のドレン水が所定の水位になると、抗菌剤収容ケース３４が浸漬され、抗菌剤収容ケース３４内の抗菌剤がドレン水に溶け出す。これにより、ドレン水溜まり３２内のドレン水にスライム等が生じることが抑制される。ドレン水溜まり３２内のドレン水は、所定の水位になるとドレンポンプ３３によって外部に排水される。
【００２８】
暖房運転時には、圧縮機によって圧縮され吐出された高温高圧のガス冷媒は、四方弁を経由して熱交換器１３（凝縮器）に流入する。熱交換器１３に流入したガス冷媒は、遠心送風機１２により送風される室内空気との熱交換により凝縮し、低温の冷媒となって、熱交換器１３から流出する。このとき、冷媒から吸熱して加熱された室内空気は、空調空気（温風）となって、室内に吹き出される。熱交換器１３から流出した冷媒は、膨張装置によって膨張及び減圧され、低温低圧の気液二相冷媒となる。この気液二相冷媒は、室外熱交換器（蒸発器）に流入し、室外送風機により送風される外気との熱交換により蒸発し、低温低圧のガス冷媒となって室外熱交換器から流出する。室外熱交換器から流出したガス冷媒は、四方弁を経由して圧縮機に吸入され、再び圧縮される。暖房運転時の冷凍サイクルでは、以上の一連の動作が連続的に繰り返される。
【００２９】
室内空気は、吸込口４５ａ、４５ｂ、フィルタ４３、空気流入口１４を通って吸い込まれ、遠心送風機１２によって送風される。遠心送風機１２により送風された室内空気は、熱交換器１３を通過して加熱され、空調空気（温風）となって吹出口４２ａ、４２ｂから室内に吹き出される。
【００３０】
次に、本実施の形態に係る空気調和装置１において、作業者により実行される抗菌剤の交換作業の第１例について説明する。本例の抗菌剤交換作業を行う際、作業者は、まず空気調和装置１の点検パネル４４及びフィルタ４３をこの順に取り外す。ここまでの手順は、空気調和装置１のフィルタ４３を交換する際の手順と同様である。
【００３１】
図５は、空気調和装置１から点検パネル４４及びフィルタ４３を取り外した状態を模式的に示す上面図である。図５に示すように、点検パネル４４及びフィルタ４３を取り外すと、脚立等に上った作業者の腕部５２（右腕）が空気流入口１４を介して仕切り板２０及びメンテナンスパネル２２に届く状態になる。
【００３２】
この状態で作業者は、メンテナンスパネル２２を仕切り板２０に固定している固定ねじ２２ｂ（図５では図示せず）を取り外し、係止部２２ａ（図５では図示せず）の係止を解除して、メンテナンスパネル２２を仕切り板２０から取り外す。メンテナンスパネル２２及び固定ねじ２２ｂ等は、作業者の腕部５２が届きかつ目視可能な位置に配置されているため、メンテナンスパネル２２を仕切り板２０から取り外す作業は容易に行うことができる。続けて、作業者は、アタッチメント３５を仕切り板２０に固定している固定ねじ３５ａを取り外し、アタッチメント３５及び抗菌剤収容ケース３４を開口部２１及び空気流入口１４を介して取り外す。アタッチメント３５は作業者の腕部５２が届きかつ目視可能な位置に配置されているため、アタッチメント３５及び抗菌剤収容ケース３４を取り外す作業は容易に行うことができる。その後、作業者は、抗菌剤収容ケース３４内の抗菌剤を新たな抗菌剤に入れ替える。
【００３３】
ここで、この時点の空気調和装置１の状態では、ベルマウス１５及び遠心送風機１２があるため、作業者の頭部５１は空気調和装置１の内部には入らない。したがって、作業者はドレンパン３０（例えば、ドレン水溜まり３２）の内部（例えば、底部）を直接視認することはできない。しかしながら、鏡５３を使用し、必要に応じてペンライト等の照明装置を併用すれば、ドレンパン３０の内部を視認することが可能である。これにより、ドレンパン３０内部の汚れを目視観察することが可能である。鏡５３を使用したときの視野角は例えば３０°程度であるが、鏡５３の配置角度を変化させたり作業者の視点を移動させたりすることによって、ドレンパン３０全体の内部を見渡すことができる。鏡５３は、作業者が手に持って用いる手鏡であってもよいし、空気流入口１４から見て仕切り板２０の奥側（ドレン水溜まり３２の上方）に備え付けられた鏡であってもよい。鏡５３が空気調和装置１に備え付けられている場合、作業者の視点を移動させることなくドレンパン３０の広い範囲を見渡すことができるように、鏡５３の配置角度が可変となっていることが望ましい。
【００３４】
また、この状態の開口部２１には、作業者の腕部５２が十分に入る空間が確保されている。したがって、掃除機を用いてドレン水溜まり３２内部をバキューム清掃することが可能となる。
【００３５】
次に、抗菌剤を入れ替えた抗菌剤収容ケース３４及びアタッチメント３５を取り付ける。作業者は、抗菌剤収容ケース３４及びアタッチメント３５を開口部２１の奥側に移動させ、固定ねじ３５ａによりアタッチメント３５を仕切り板２０に取り付ける。これにより、抗菌剤収容ケース３４はドレン水溜まり３２上方の所定の位置に宙吊りになる。その後、メンテナンスパネル２２の係止部２２ａを開口部２１の開口端の一部に係止させ、固定ねじ２２ｂを用いてメンテナンスパネル２２を仕切り板２０にねじ止めする。これにより、メンテナンスパネル２２が仕切り板２０に対して固定され、開口部２１が閉塞される。これらの作業は作業者の腕部５２が届く範囲で行うことができるため、これらの作業も作業者により容易に行うことができる。その後、フィルタ４３及び点検パネル４４をこの順に取り付けることにより、抗菌剤の交換作業が完了する。
【００３６】
以上のように本実施の形態では、抗菌剤の交換作業性を向上させることができる。第１例の抗菌剤交換作業は、フィルタ４３の交換作業と比較して手順が若干煩雑になる程度である。このため、専門業者ではないエンドユーザ等が抗菌剤の交換作業を行うことも可能である。
【００３７】
次に、本実施の形態に係る空気調和装置１において、作業者により実行される抗菌剤の交換作業の第２例について説明する。本例の抗菌剤交換作業では、点検パネル４４及びフィルタ４３を取り外した後に、ベルマウス１５及び遠心送風機１２を取り外す。
【００３８】
図６は、空気調和装置１から点検パネル４４及びフィルタ４３に加えてベルマウス１５及び遠心送風機１２を取り外した状態を模式的に示す上面図である。図６に示すように、ベルマウス１５及び遠心送風機１２を取り外すと、作業者の頭部５１を空気調和装置１の内部に入れることができる（このときの頭部５１の高さ方向の位置は図４に例示されている）。このため、第２例の抗菌剤交換作業では、メンテナンスパネル２２及びアタッチメント３５を仕切り板２０から取り外す作業が上記の第１例よりもさらに容易になる。したがって、抗菌剤の交換作業性が第１例よりも向上することにより、点検作業時間が大幅に短縮される。
【００３９】
また、作業者の視点がドレンパン３０よりも上方に位置するため、メンテナンスパネル２２を取り外した後の開口部２１を介してドレンパン３０の内部を見下ろすことができる。この場合、鏡５３等が不要となるため、作業者は、通常の視野角で体勢を変えずにドレンパン３０（例えば、ドレン水溜まり３２）全体の汚れを一度に目視観察することが可能となる。また、ドレンパン３０全体の汚れを一度に目視観察することができるため、掃除機を用いたドレンパン３０内部のバキューム清掃が第１例よりも容易になる。
【００４０】
以上説明したように、本実施の形態に係る空気調和装置１は、鉛直方向に延伸した回転軸を有する遠心送風機１２と、遠心送風機１２の下方に設けられた空気流入口１４と、遠心送風機１２の外周の一部を覆うように設けられた熱交換器１３と、遠心送風機１２の外周の他部を覆うように設けられた仕切り板２０と、仕切り板２０に形成された開口部２１と、仕切り板２０に着脱自在に取り付けられ、開口部２１を閉塞するメンテナンスパネル２２と、熱交換器１３の下方に設けられ、熱交換器１３のドレン水を受けるドレン水受け部（ドレン水流路３１）と、空気流入口１４側から見て仕切り板２０の奥側に設けられ、ドレン水流路３１で受けたドレン水を溜めるドレン水溜まり３２と、を備えたドレンパン３０と、抗菌剤を内部に収容し、ドレンパン３０のうちドレン水溜まり３２内に配置され、空気流入口１４及び開口部２１を介して取出し可能な抗菌剤収容ケース３４と、を有することを特徴とするものである。
【００４１】
この構成によれば、抗菌剤収容ケース３４は、空気流入口１４及び開口部２１を介して空気調和装置１の外部に取出し可能であるため、抗菌剤の交換作業性を向上させることができる。
【００４２】
また、本実施の形態に係る空気調和装置１は、抗菌剤収容ケース３４がドレンパン３０を取り外さずに取出し可能であることを特徴とするものである。
【００４３】
この構成によれば、ドレンパン３０の取外し及び再取付けの際に必要であったドレンパン３０内のドレン水の排水、ドレン配管工事のやり直し、及び復旧後のドレン水漏れ点検等の作業を不要とすることができる。これにより、抗菌剤の交換作業性を向上させることができる。従来の空気調和装置では、抗菌剤の交換作業時間が６０分程度必要であったのに対し、本実施の形態の構成では抗菌剤の交換作業時間が１０分程度に短縮される。したがって、抗菌剤の交換作業に必要な時間及び費用を大幅に削減することができる。
【００４４】
また、本実施の形態に係る空気調和装置１は、抗菌剤収容ケース３４が、仕切り板２０に対して着脱自在に取り付けられていることを特徴とするものである。
【００４５】
一般に、抗菌剤収容ケース３４がドレンパン３０に対して取り付けられている場合、抗菌剤を交換するためにはドレンパン３０自体を取り外す必要がある。本実施の形態の構成では、抗菌剤収容ケース３４がドレンパン３０ではなく仕切り板２０に対して取り付けられているため、抗菌剤収容ケース３４がドレンパン３０を取り外さずに取出し可能とすることができる。また、本実施の形態の構成では、抗菌剤収容ケース３４が仕切り板２０に対して着脱可能に取り付けられているため、抗菌剤を交換する際には仕切り板２０を取り外す必要もない。
【００４６】
また、本実施の形態に係る空気調和装置１は、空気流入口１４及び開口部２１を介して、ドレン水溜まり３２内部の目視観察又は清掃（例えば、掃除機を用いたバキューム清掃）が可能であることを特徴とするものである。
【００４７】
この構成によれば、抗菌剤の交換作業だけでなくドレン水溜まり３２内部の保守作業を容易に行うことができる。
【００４８】
その他の実施の形態．
本発明は、上記実施の形態に限らず種々の変形が可能である。
例えば、上記実施の形態では、二方向吹出式の天井カセット型空気調和装置を例に挙げたが、本発明はこれに限らず、四方向吹出式又は一方向吹出式の天井カセット型空気調和装置や、天井埋込形空気調和装置にも適用可能である。図７は、上記実施の形態の変形例として、四方向吹出式の天井カセット型空気調和装置のドレンパン１３０等の構成を模式的に示す上面図である。図７に示すように、この空気調和装置のドレンパン１３０には、不図示の遠心送風機に空気を流入させる空気流入口１１４と、四方向に空気を吹き出す吹出口１４２ａ、１４２ｂ、１４２ｃ、１４２ｄとが設けられている。ドレンパン１３０の上方には、遠心送風機の外周のうち図中右下部以外の部分を略Ｃ字状に囲む熱交換器１１３が設けられている。遠心送風機の外周のうち図中右下部には、仕切り板１２０が設けられている。遠心送風機の外周は、熱交換器１１３及び仕切り板１２０によって全周に亘って囲まれている。空気流入口１１４側から見て仕切り板１２０の奥側には、ドレンパン１３０のドレン水溜まり１３２が形成されている。ドレン水溜まり１３２には、ドレンポンプ１３３と抗菌剤収容ケース１３４とが配置されている。抗菌剤収容ケース１３４は、直接又はアタッチメントを介して、仕切り板１２０に対して着脱可能に取り付けられている。
【００４９】
図示を省略しているが、仕切り板１２０には、図２〜図４等に示した仕切り板２０と同様に、開口部とそれを塞ぐメンテナンスパネルとが設けられている。本例の構成においても、抗菌剤収容ケース１３４は、空気流入口１１４及び仕切り板１２０に形成された開口部を介して取出し可能となっている。これにより、上記実施の形態１と同様の効果を得ることができる。
【００５０】
また、本例の構成においても、ベルマウス及び遠心送風機を取り外すことによって、図７に示すように作業者の頭部５１を空気調和装置の内部に入れることができる。これにより、上記実施の形態１と同様に、作業者はドレンパン１３０のドレン水溜まり１３２の内部を図中矢印で示す視野角で容易に観察することができる。
【００５１】
また上記の各実施の形態や変形例は、互いに組み合わせて実施することが可能である。
【符号の説明】
【００５２】
１  空気調和装置、１０  本体ケーシング、１１  ファンモータ、１２  遠心送風機、１３、１１３  熱交換器、１３ａ  一端部、１３ｂ  他端部、１４、１１４  空気流入口、１５  ベルマウス、２０、１２０  仕切り板、２１  開口部、２２  メンテナンスパネル、２２ａ  係止部、２２ｂ  固定ねじ、３０、１３０  ドレンパン、３１  ドレン水流路、３２、１３２  ドレン水溜まり、３３、１３３  ドレンポンプ、３４、１３４  抗菌剤収容ケース、３４ａ  開口、３５  アタッチメント、３５ａ  固定ねじ、４０  化粧パネル、４１  枠状部、４２ａ、４２ｂ、１４２ａ、１４２ｂ、１４２ｃ、１４２ｄ  吹出口、４３  フィルタ、４４  点検パネル、４５ａ、４５ｂ  吸込口、５１  頭部、５２  腕部。
【図１】
2014211274.tif 000003
【図２】
2014211274.tif 000004
【図３】
2014211274.tif 000005
【図４】
2014211274.tif 000006
【図５】
2014211274.tif 000007
【図６】
2014211274.tif 000008
【図７】
2014211274.tif 000009